(57)【要約】【課題】ガット張設装置のガット挟持部の高さ調節装置を提供する。【解決手段】前記高さ調節装置は、調節装置の基台主体ａに固定された上部取付部材ｃ３と、該上部取付部材に結合ベースｆを介して連結される下部取付部材ｃ４を備え、前記上部取付部材ｃ３には前記ガット挟持部ｃ１が固着されており、前記下部取付部材ｃ４には前記水平状ベース部材ｆに進退移動が可能に連結された案内レール２１が取付けられた結合ベース２が傾斜状態に固設されており、前記結合ベース２の案内レール２１に配設したスライダー２１１には、前記上部取付部材の他方に傾斜させて設けた摺動座１が連結され、前記ガット挟持部ｃ３が摺動座１の移動により、案内レール２１に沿った進退移動による変位によって、その高さを調整できるよう構成した。【選択図】図５
0003137694.tif 000002
【実用新案登録請求の範囲】
【請求項１】
ガット張設装置に調節装置を結合するための水平状ベース部材を備え、また、調節装置がベース部材に対して移動変位できるようになっており、前記調節装置には、少なくとも、ガット挟持部とガット緊張レバーを設けたガット張設装置のガット挟持部の高さ調節装置であって、
前記高さ調節装置は、調節装置の基台主体に固定された上部取付部材と、該上部取付部材に結合ベースを介して連結される下部取付部材を備え、前記上部取付部材には前記ガット挟持部が固着されており、前記下部取付部材には前記水平状ベース部材に進退移動が可能に連結された案内レールが取付けられた結合ベースが傾斜状態に固設されており、前記結合ベースの案内レールに配設したスライダーには、前記上部取付部材の他方に傾斜させて設けた摺動座が連結され、前記ガット挟持部が摺動座の移動により、案内レールに沿った進退移動による変位によって、その高さを調整できるようになっていることを特徴とするガット張設装置におけるガット挟持部の高さ調節装置。
【請求項２】
前記摺動座は進退移動範囲が制限されて、案内レールを摺動することを特徴とする請求項１に記載のガット張設装置におけるガット挟持部の高さ調節装置。
【請求項３】
前記摺動座は、上部取付部材に傾斜させて固設されていることを特徴とする請求項２に記載のガット張設装置におけるガット挟持部の高さ調節装置。
【請求項４】
前記結合ベースには案内レールを結合するための、対応する二つの側板が設けられることを特徴とする請求項１に記載のガット張設装置におけるガット挟持部の高さ調節装置。
【請求項５】
前記二つの側板の一方の側板には、内方へ向かうマイクロ調整ネジ杆が螺合貫設され、他方の側板には、内方へ向かう調整ネジ杆が螺合貫設されることを特徴とする請求項４に記載のガット張設装置におけるガット挟持部の高さ調節装置。
【請求項６】
前記摺動座には、それぞれ、マイクロ調整ネジ杆と調整ネジ杆に対応する係止部が設けてあることを特徴とする請求項５に記載のガット張設装置におけるガット挟持部の高さ調節装置。
【考案の詳細な説明】
【技術分野】
【０００１】
本考案は、ガット張設装置におけるガット挟持部の高さ調節装置に関し、特に、ガットの品質を保持でき、また、操作が容易であるガット挟持部の高さ調節装置に関する。
【背景技術】
【０００２】
テニスやバドミントンは、精巧な且つ頭脳が要求されるスポーツであり、その球やシャトルを弾く打撃力の強さにより、運動技量を最大限に発揮できる。
また、その道具やラケットのガットのテンション張力数値の正確度は、技量を発揮できる主な要因になる。また、ラケットにガットを実装する方式が適切であるかどうかで、ラケットやガットの耐用寿命に大きく影響する。
【０００３】
ラケットのガット張設装置は、主として、基台に立設された支柱ａと、該支柱ａの上部に配設されたラケットのフレーム保持ステーｂと、前記ラケットに張設するガットｅを挟持し、且つガットにテンションを与えるガット緊張レバーｃ２を有する挟持部ｃ１を備えた調節装置ｃが配設されている（図１参照）。
【０００４】
前記フレーム保持ステーｂは、３６０度に水平方向の回転が可能で且つ定位置に停止可能な状態になるように、前記支柱ａの上方部に枢着されている。また、調節装置ｃは、挟持部ｃ１とガット緊張レバーｃ２があり、扁平部を直立させた状態で配設されたベース部材１０に取り付けられている。
前記調節装置ｃのベース部材１０は、該支柱ａに一端が結合され（図２参照）ている。該ベース部材１０は、支柱ａの上方部に固着されており、前記扁平状の直立させたベース部材１０の上端面にはラック１０１が形成され、このラック１０１に調節装置ｃが進退自在に配設されて、進退移動による変位可能となっている。
【０００５】
使用時にあっては、ラケットフレームｄをフレーム保持ステーｂに組み付けて、次にガットｅの一端をフレームｄに固定し他端を調節装置ｃの挟持部ｃ１に固定し（図２参照）、その後、ガットｅのテンション張設数値を所望数値にセットするように緊張レバーｃ２を回動し、前記ガットｅが、設定されたテンション張力数値になるようにしている。上記の作業を繰り返すことで、ラケットフレームｄに形成した所定間隔の貫通孔を介して縦方向と横方向のガットｅが貫設して張設される。
【０００６】
上記の従来の構造におけるラケットのガット張設装置におけるガット挟持部の高さ調節装置は、次のような欠点がる。
１．ラケットフレームｄやガットｅにダメージを与えるような構成となっている。
即ち、各メーカのラケットフレームｄの厚さは必ずしも同じではなく、且つフレーム保持ステーｂと調節装置ｃとの間の水平方向の高さが一定でないため、張設しようとするガットｅを調節装置ｃの緊張レバーｃ１とラケットフレームｄとの間に貫通孔を介して張設すると、ラケットフレームｄと外側のガットｅとの間に、図２に示すように高低差となる夾角θが形成され、この状態でガットｅが引張られると、ラケットフレームｄの貫通孔部に、均一でない摩擦力が生じ、テンション張力数値が正確でなくなる。また、ラケットフレームｄの貫通孔とガットｅとの間に、摩擦や磨耗によって、ガットｅに損傷を与えたり、断裂する恐れがある。また、ガットが断裂しなくても、球を撃つ時、ガットｅの損傷部分によって球に損傷を与えたり、ラケットフレームｄやガットｅの耐用寿命が悪くなる。
また、ガットｅのテンション張力数値が正確でないため、ラケットの使用による球技に支障を生じさせ、充分な実力が発揮できなくなる。
【０００７】
２．また、ラケットフレームｄにガットを張設する際に、ラケットフレームｄを横方向に方向変更する必要があるが、方向変更時に調節装置ｃと互いに干渉する。
即ち、各メーカのラケットフレームｄの厚さが、必ずしも同じではなく、フレーム保持ステーｂと調節装置ｃとの設置高さが同一に調整できないため、ラケットフレームｄの向きを方向変更する時、ラケットフレームｄのグリップｄ１が、調節装置ｃの緊張レバーｃ１と干渉し（図３と図４のように）、３６０度を回転することができなくなり、作業が不便である。
【考案の開示】
【考案が解決しようとする課題】
【０００８】
本考案の主な目的は、ラケットのガット張設装置において、ガット張節装置に近接配置されるガット挟持部の高さを調節可能にして、ラケットフレームとガット挟持部との間に張設されたガットを、水平状態に調整することで、ラケットフレームとガットに摩擦や磨耗を発生させることなく、また、ガットのテンション張力数値の設定をより正確にすると共に、ラケットフレームのグリップを方向変更する時、調節装置のガット挟持部と干渉することのないガット張設装置におけるガット挟持部の高さ調節装置を提供する。
【課題を解決するための手段】
【０００９】
本考案の請求項１の考案は、ガット張設装置に調節装置を結合するための水平状ベース部材を備え、また、調節装置がベース部材に対して移動変位できるようになっており、前記調節装置には、少なくとも、ガット挟持部とガット緊張レバーを設けたガット張設装置のガット挟持部の高さ調節装置であって、前記高さ調節装置は、調節装置の基台主体に固定された上部取付部材と、該上部取付部材に結合ベースを介して連結される下部取付部材を備え、前記上部取付部材には前記ガット挟持部が固着されており、前記下部取付部材には前記水平状ベース部材に進退移動が可能に連結された案内レールが取付けられた結合ベースが傾斜状態に固設されており、前記結合ベースの案内レールに配設したスライダーには、前記上部取付部材の他方に傾斜させて設けた摺動座が連結され、前記ガット挟持部が摺動座の移動により、レールに沿った進退移動による変位によって、その高さを調整できるようになっていることを特徴とする。
【００１０】
請求項２の考案は、請求項１に記載のガット張設装置におけるガット挟持部の高さ調節装置において、前記摺動座は進退移動範囲が制限されて、案内レールを摺動することを特徴とする。
請求項３の考案は、請求項２に記載のガット張設装置におけるガット挟持部の高さ調節装置において、前記摺動座は、上部取付部材に傾斜させて固設されていることを特徴とする。
請求項４の考案は、請求項１に記載のガット張設装置におけるガット挟持部の高さ調節装置において、前記結合ベースには案内レールを結合するための、対応する二つの側板が設けられることを特徴とする。
【００１１】
請求項５の考案は、請求項４に記載のガット張設装置におけるガット挟持部の高さ調節装置において、前記二つの側板の一方の側板には、内方へ向かうマイクロ調整ネジ杆が螺合貫設され、他方の側板には、内方へ向かう調整ネジ杆が螺合貫設されることを特徴とする。
請求項６の考案は、請求項５に記載のガット張設装置におけるガット挟持部の高さ調節装置において、前記摺動座には、それぞれ、マイクロ調整ネジ杆と調整ネジ杆に対応する係止部が設けてあることを特徴とする。
【考案の効果】
【００１２】
本考案の上記構成によれば、傾斜状に取り付けられた結合ベースの案内レールのスライダーに連結された上部取付部材の摺動座を介して、ガット挟持部が固定されることにより、前記摺動座の上下方向への進退移動によって、高さ調節装置のガット挟持部の高さ調節が可能となるため、ラケットフレームとガット挟持部との間に張設されたガットを、水平状態に調整でき、ラケットフレームとガットに摩擦や磨耗を発生させることが防止できる。また、ガットのテンション張力数値の設定をより正確にすると共に、ラケットフレームのグリップを方向変更する時、調節装置のガット挟持部と干渉することのないガット張設装置におけるガット挟持部の高さ調節装置を提供できる。
【考案を実施するための最良の形態】
【００１３】
以下、本考案のガット張設装置におけるガット挟持部の高さ調節装置について、一実施例を図面と共に説明する。
【実施例】
【００１４】
図５は、本考案のガット張設装置におけるガット挟持部の高さ調節装置の要部を拡大して示す側面図である。
【００１５】
本考案のガット張設装置におけるガット挟持部の高さ調節装置は、ガット張設装置とガット挟持部の高さ調節装置とから構成されている。ガット張設装置は、支柱ａと、テニスラケット等のフレームを保持するフレーム保持ステーｂを有し、ガット挟持部の高さ調節装置は、調節装置ｃと、ベース部材ｆを備え、水平状のベース部材ｆは、ラックｆ１を有し、ラックｆ１の上方に、歯車ｆ２が噛合い、ベース部材ｆに配設された調節装置ｃは、前記歯車ｆ２がラックｆ１に噛合うことにより、ラックｆ１により進退移動の変位が可能となっている。また、調節装置ｃには、少なくともガット挟持部ｃ１とガット緊張レバーｃ２が含有されている（図６参照）。
【００１６】
前記調節装置ｃの背高の高さ調節は、主として、前記調節装置ｃの基台主体に、上部取付部材ｃ３と下部取付部材ｃ４があり、前記ガット挟持部ｃ１が、上部取付部材ｃ３に結合され、下部取付部材ｃ４に、ベース部材ｆが結合される。また、上部取付部材ｃ３に、摺動座１が傾斜して固着され（図６参照）、下部取付部材ｃ４に、結合ベース２が傾斜状態に固着され、また、前記ガット緊張レバーｃ２が、下部取付部材ｃ４に結合されている。
【００１７】
前記摺動座１は、傾斜状に前記上部取付部材ｃ３に固設され、その両側に、それぞれ、係止部１１が設けられている（図５、図６参照）。
【００１８】
前記結合ベース２は（図５と図６参照）、傾斜させて下部取付部材ｃ４の上端部に固着されており、また、結合ベース２には傾斜状の案内レール２１が固設されている。前記案内レール２１上には、摺動可能にスライダー２１１が設置されている。また、上部取付部材ｃ３は、摺動座１を介してスライダー２１１に固着されて案内レール２１に沿って、上下方向への進退移動の変位ができ（図７）、これによって、上部取付部材ｃ３に結合されたガット挟持部ｃ１の高さをラケット保持ステーの高さに一致させるように調整できるようになる。
【００１９】
前記結合ベース２には、案内レール２１を固設するための、対応する二つの側板２２が設けてあり、前記摺動座１が、二つの側板２２によって移動が制限された状態で案内レール２１を摺動する。
そして、一方の側板２２には、内方へ向かうマイクロ調整ネジ杆２３が螺合貫設されると共に、他方の側板２２には、内方へ向かう調整ネジ杆２４が螺合貫設されており、前記マイクロ調整ネジ杆２３と調整ネジ杆２４の各先端はそれぞれ、摺動座１の係止部１１に対応している（図７参照）。
なお、前記ベース部材ｆのラックｆ１に噛み合う歯車ｆ２は、Ｕ字形に折り曲げられた下部取付部材ｃ４に回動可能に軸支されている。
【００２０】
上記構成の本考案のガット張設装置の調節装置のガット挟持部高さ調節装置によれば、使用時にあっては、先ず、ラケットフレームｄをフレーム保持ステーｂに設置し、ガットｅを調節装置ｃのガット挟持部ｃ１とラケットフレームｄとの間に固定し（図８参照）、その後、ガットのテンション張力数値をセットする。この時、ガットｅが緊張状態であるため、調節装置ｃにより、上部取付部材ｃ３の摺動座１が、斜め上方へ移動変位され、ラケットフレームｄとガット挟持部ｃ１との間に張設されたガットｅが、ほぼ水平の状態になる。
【００２１】
また、高さの微調整を行なうには、マイクロ調整ネジ杆２３の先端が一方の係止部１１に当接させた状態から、マイクロ調整ネジ杆２３を回転することにより、前記ガット挟持部ｃ１の高低差の微調整作業を行う。これにより、ガットｅが、水平状態の張設されるようになる。その後、ガット緊張レバーｃ２を回動することで、歯車ｆ２により調節装置ｃが連動されてラックｆ１上で変位し、これにより、ガットｅが、設定されたテンション張力数値になる。上記の作業により、ラケットフレームｄの縦方向や横方向のガットｅが、それぞれ、貫設される。
【００２２】
更に、前記ラケットフレームｄを張設されたガットに向かうように水平回動する場合、ラケットフレームｄ外のガットｅが、やや弛むため、摺動座１が、斜め下方の他方の係止部１１へ向けて変位するため、前記結合ベース２の調整ネジ杆２４の先端が他方の係止部１１に当接する（図９参照）。
【００２３】
また、ラケットフレームｄを回動する時には、前記調整ネジ杆２４を逆転させて、前記調整ネジ杆２４の先端が他方の係止部１１に当接することで、前記摺動座１や上部取付部材ｃ３及びガット挟持部ｃ１の高さを低くすることができ、フレーム保持ステーに設置したグリップｄ１が、調節装置ｃのガット挟持部ｃ１と互いに干渉することを防止できる。
【００２４】
以上のように構成された本考案によれば、次の利点が得られる。
１．ガットｅやラケットフレームｄにダメージを与えないこと。
即ち、上部取付部材ｃ３とガット挟持部ｃ１との高さ調整が可能であるため、異なる高さ（厚さ）のラケットフレームｄに応じて調節できる。また、ラケットフレームｄとガット挟持部ｃ１との間に張設されたガットｅが、水平状態になり、ラケットフレームｄとガットｅとの間に、高低差の角度が形成されないため、ガットｅがラケットフレームｄの貫通孔に接触することがない。したがって、ラケットフレームｄとガットｅとの間に、磨擦や磨耗が発生せず、ガットを張設する作業が、より理想的になると共に、ガットのテンション張力数値がより正確になる。
【００２５】
２．ラケットフレームｄを方向変更する時、調節装置ｃのガット挟持部ｃ１と干渉しないこと。
調整ネジ杆２４の螺合部を引き抜く方向に逆回動して係止板１１の内方に突出する調整ネジ杆２４先端部を引き込めることにより、摺動座１や上部取付部材ｃ３及びガット挟持部ｃ１の高さが更に下方に位置することで、ラケットフレームｄのグリップｄ１が、ガット挟持部ｃ１と干渉することなく、容易に方向変更する。
また、ガット挟持部ｃ１の変位や摺動座１の微調整は、電子式の制御システムにより、正確的に定位しても良いことは勿論である。
【００２６】
以上、本考案の好的な実施例を説明したが、本考案は、それによって限定されるものではなく、当該技術を熟知する者であれば、誰でも本考案の精神と領域を逸脱しない範囲ないで、各種の修正、変更が可能であり、本考案の権利範囲は実用新案登録請求の範囲に記載した内容を基準とする。
【図面の簡単な説明】
【００２７】
【図１】従来のラケットのガット張設装置を示す分解斜視図。
【図２】従来のラケットのガット張設装置におけるラケットフレームと外側ガットの間に夾角がある欠点状態を示す側面図。
【図３】従来のラケットのガット張設装置のラケットフレームを方向変更した後、そのグリップが、調節装置の挟持部と干渉する実施欠点状態を示す平面図。
【図４】図３の側面図。
【図５】本考案のラケットのガット張設装置におけるガット挟持部の高さ調節装置における一実施例を示す要部拡大説明図。
【図６】本考案の組み立て状態を示す要部分解斜視図。
【図７】本考案の組み立て状態の作動要部拡大側面図。
【図８】本考案の組み立て状態の側面図。
【図９】本考案の作動時の要部拡大側面図。
【符号の説明】
【００２８】
１０      ベース部材
１０１    ラック
ａ        支柱
ｂ        フレーム保持ステー
ｃ        調節装置
ｃ１      ガット挟持部
ｃ２      ガット緊張レバー
ｄ        ラケットフレーム
ｄ１      グリップ
ｅ        ガット
１        摺動座
１１      係止部
２        結合ベース
２１      案内レール
２１１    スライダー
２２      側板
２３      マイクロ調整ネジ杆
２４      調整ネジ杆
ａ        支柱
ｂ        フレーム保持ステー
ｃ        調節装置
ｃ１      ガット挟持部
ｃ２      ガット緊張レバー
ｃ３      上部取付部材
ｃ４      下部取付部材
ｄ        ラケットフレーム
ｄ１      グリップ
ｅ        ガット
ｆ        ベース部材
ｆ１      ラック
ｆ２      歯車
【図１】
0003137694.tif 000003
【図２】
0003137694.tif 000004
【図３】
0003137694.tif 000005
【図４】
0003137694.tif 000006
【図５】
0003137694.tif 000007
【図６】
0003137694.tif 000008
【図７】
0003137694.tif 000009
【図８】
0003137694.tif 000010
【図９】
0003137694.tif 000011